(57)【要約】【課題】  低コストで製造されしかも操作性が優れている蓋開閉装置を提供する。【解決手段】  空洞部１０を覆う鉄蓋３１の裏面に連結される一端部を有する駆動アーム７０と、空洞部１０に装着されるケース部材６と、ケース部材６に設けられた支持部材７９に駆動アーム７０と交差する方向に固着され、駆動アーム７０の他端部を回転自在に支持する第１の支持軸８０と、第１の支持軸８０の周囲に巻回されかつ一端が支持部材７９に係止され、鉄蓋３１が空洞部１０を閉じた状態では鉄蓋３１が開く方向に駆動アーム７０を付勢し、鉄蓋３１が開いた状態では鉄蓋３１が閉じる方向に駆動アーム７０を付勢するねじりコイルバネ８４と、駆動アーム７０の他端部に設けられ、ねじりコイルバネ８４のねじりモーメントを調整する第１調整プレート８５及び第２調整プレート８６を備えている。【選択図】        図３
2006283482.tif 000002
【特許請求の範囲】
【請求項１】
空洞部を覆う蓋体の裏面に連結される一端部を有する駆動アームと、前記空洞部に装着されるケース部材と、
前記ケース部材に設けられた支持部材に前記駆動アームと交差する方向に固着され、前記駆動アームの他端部を回転自在に支持する支持軸と、
前記支持軸の周囲に巻回されかつ一端が前記支持部材に係止され、前記蓋体が前記空洞部を閉じた状態のときは前記蓋体が開く方向に前記駆動アームを付勢し、前記蓋体が開いた状態のときは前記蓋体が閉じる方向に前記駆動アームを付勢するねじりコイルバネと、
前記駆動アームの他端部に設けられた前記ねじりコイルバネのねじりモーメントを調整する調整部材とを備え、
前記駆動アームは前記支持軸を支点として回転自在に支持されていることを特徴とする蓋開閉装置。
【請求項２】
前記調整部材は、前記駆動アームの一方の端面に装着され、前記ねじりコイルバネの他端部を受取る円弧状の長孔と、前記調整孔と同一の半径を有し、前記駆動アームに固定される締結部材が挿入される円弧状の長孔を有する第１調整プレートと、前記調整孔と対向し前記ねじりコイルバネの他端部を受取る半円孔と前記駆動アームに固定される締結部材が挿入される円弧状の長孔を有する第２調整プレートからなることを特徴とする請求項１に記載の蓋開閉装置。
【請求項３】
前記蓋体の裏面に、前記駆動アームと平行に従動アームが装着されていることを特徴とする請求項１または２に記載の蓋開閉装置。
【請求項４】
前記蓋体の裏面に、それが開放されたときに蓋体の回転範囲を規制する支持脚が固設されていることを特徴とする請求項１〜３のいずれかに記載の蓋開閉装置。
【発明の詳細な説明】
【技術分野】
【０００１】
本発明は、厨房などの屋内床下に設置されるグリース阻集器あるいは地中に設置される排水桝、側溝を覆う蓋を開閉するための蓋開閉装置に関する。
【背景技術】
【０００２】
ホテル、食堂、飲食店等の厨房などから排出される排水液中に含まれる油脂分を浮上分離させて阻集し、油脂分の排水管中への流入による排水管の詰まりを防止し、合わせて河川他環境への悪影響を低減するために、屋外もしくは屋内の厨房の床に空洞部を設け、そこにグリース阻集器を埋め込んで設置することが行われている。
【０００３】
上記グリース阻集器に集められた油脂分はある程度固まった状態になり、所定の頻度（通常一週間に一回）で回収される。またグリース阻集器の性能を維持するために、その内部に溜まった厨芥等は、少なくとも毎日一回は取り除く必要がある。このような清浄作業を行うために、先ず厨房床面のマンホ−ル蓋と呼ばれる鉄製の蓋を人手により開けることが行われる。しかるに阻集器の清掃は、例えば調理人が調理の合間に行うため、重量が大なる鉄蓋の開閉が面倒であることから、グリース阻集器の清掃が滞りがちになる。その結果、グリース阻集器が厨芥等で満杯になり、油脂分を含む排水がグリース阻集器から溢れるあるいは、厨芥に付着した油脂が腐敗し異臭の発生に至る場合もある。
【０００４】
大重量の鉄蓋を容易に開閉するために、いくつかの蓋開閉装置が提案に供されてきたが、特殊な工具を使用して鉄蓋を開閉する構造のものが殆どであり、操作性及び価格の点で普及していないのが実情である。この他特殊な工具を使用せずに鉄蓋の開閉を容易に行うために、鉄蓋の端部に回転式兆番を固定する構造も考えられる。この構造によれば、鉄蓋を持ち上げるだけの操作で済むが、鉄蓋が誤って閉じた場合に指が挟まれ事故を防止するため、開放した蓋を立設状態に保つための手段（ア−ム）を設けることが必要あり、このアームがグリース阻集器の清掃作業時の障害になるという別の問題が発生する。
【０００５】
そこで重量が大なる鉄蓋をアームで回動させて、空洞部と平行な位置まで移動させることが提案されている（特許文献１参照）。特許文献１に記載された開閉装置は、地中あるいは屋内床下に設けられた空洞部を覆う蓋体と、前記蓋体を前記空洞部部外にかつ元の位置と平行な位置まで移動させる移動手段を備え、前記移動手段は、一端が前記蓋体の裏面に回動可能に支持されかつ他端が前記空洞部の内部に軸支されるア−ムと前記アームを前記蓋体が閉じる方向に付勢しておく弾性部材とを含むクランク機構を有すると共に、前記アームは前記蓋体が前記平行な位置まで回転可能な形状を有する構成を備えている。この構造によれば、蓋体がア−ム長さに相当する回転半径でもって、蓋体の上面から離れた位置まで、床面に対し平行にクランク移動して空洞部が開口され、しかも前記アームは開口方向に弾性部材で付勢されているので、蓋体の開閉作業を容易に行うことができる。
【０００６】
【特許文献１】特開２００４−３５３３２０号公報（第４〜５頁、図１〜４）
【発明の開示】
【発明が解決しようとする課題】
【０００７】
特許文献１に記載された装置は、特殊な工具を用いずに大重量の蓋の開閉を行うことができるという利点を有するが、若干の改良すべき点が存在することがわかった。すなわち蓋の重量は空洞部の面積によって異なるので、蓋が設置される空洞部の面積に応じて、開閉装置に組み込まれる弾性部材のばね定数を調整する必要がある。したがって蓋の大きさ（重量）毎に多種類のバネを準備しておくことが必要であり、装置の製作コストの増大を招来するという問題がある。
【０００８】
したがって本発明の目的は、上記の問題点を解消して、優れた操作性を有しかつ低コストで製作が可能な蓋開閉装置を提供することである。
【課題を解決するための手段】
【０００９】
上記目的を達成するために、本発明の蓋開閉装置は、空洞部を覆う蓋体の裏面に連結される一端部を有する駆動アームと、前記空洞部に装着されるケース部材と、前記ケース部材に設けられた支持部材に前記駆動アームと交差する方向に固着され、前記駆動アームの他端部を回転自在に支持する支持軸と、前記支持軸の周囲に巻回されかつ一端が前記支持部材に係止され、前記蓋体が前記空洞部を閉じた状態のときは前記蓋体が開く方向に前記駆動アームを付勢し、前記蓋体が開いた状態のときは前記蓋体が閉じる方向に前記駆動アームを付勢するねじりコイルバネと、前記駆動アームの他端前記駆動アームは前記支持軸を支点として回転自在に支持されていることを特徴とするものである。
【００１０】
本発明において、前記調整部材は、前記駆動アームの一方の端面に装着され、前記ねじりコイルバネの他端部を受取る円弧状の長孔と、前記調整孔と同一の半径を有し、前記駆動アームに固定される締結部材が挿入される円弧状の長孔を有する第１調整プレートと、前記調整孔と対向し前記ねじりコイルバネの他端部を受取る半円孔と前記駆動アームに固定される締結部材が挿入される円弧状の長孔を有する第２調整プレートからなることが好ましい。
【００１１】
本発明において、前記蓋体の裏面に、前記駆動アームと平行に従動アームが装着されていることが好ましい。
【００１２】
本発明において、前記蓋体の裏面に、それが開放されたときに蓋体の回転範囲を規制する支持脚が固設されていることが好ましい。
【発明の効果】
【００１３】
本発明によれば、蓋体を開閉する駆動アームの支点側にねじりコイルバネを設置するとともに、そのねじりモーメントを調整する部材を設けるので、一種類のばねで大きさの異なる蓋体の開閉を行うことが可能となる。従って操作性の優れた開閉装置を低コストで製作することができる。
【００１４】
また、グリース阻集器が既に設置されている場合でも、その蓋体に開閉装置を簡単に装着でき、またメンテナンス時には取り外しも容易となるものである。さらに、開閉装置は全て床下に収納されるため、調理作業や床上の清掃作業を阻害することは防止される。
【発明を実施するための最良の形態】
【００１５】
以下、図面を参照しながら本発明の実施の形態を説明する。
図１は本発明の実施の形態に係わる蓋開閉装置を備えた厨房の床下部を示す断面図、図２は同平面図、図３は図１から鉄蓋を取り外した状態の蓋開閉装置を示す平面図、図４は図３をＡ方向からみた矢視図、図５は第１調整プレートの平面図、図６は第２調整プレートの平面図、図７は図３をＡ２方向からみたときのねじりコイルバネの端部と第１調整プレートとの位置関係を示し、図８は図３をＡ１方向からみたときのねじりコイルバネの端部と第２調整プレートとの位置関係を示す図である。
【００１６】
図1に示すように、厨房の床下部１には、排水が流入する空洞部１０が形成され、空洞部１０の周囲は、スラブコンクリート１１で固められ、その上にグレーチング１２が被せられた側溝１３と増し打ちコンクリート１４が設けられている。空洞部１０の内部には、側溝１３から流れ込む排水中に含まれる油脂分を分離・回収するために、グリース阻集器４が設置されるとともに、空洞部１０は複数の蓋体（以下鉄蓋という）３１、３４、３５で覆われている。図２も参照すると、各鉄蓋は、例えば縞鋼板で形成され、鉄蓋３１は、表面に開閉用ラッチ３２を有しかつその裏面には中央部に脚部材３３が設けられ、また鉄蓋３４、３５には、各々取手３６、３７が設けられている。グリ−ス阻集器４は、側溝１３から矢印Ｘで示す方向に流動する排水中に含まれる厨芥を捕捉するためのバスケット４１と、排水の流動方向に沿って設置され、排水の流速を低下させ、排水が流下する途中で油脂分を浮上させるための３枚の仕切板４２と、その下流側に設置されたトラップ管４３と、トラップ管４３で捕捉され、油脂分が除去された排水を矢印Ｙで示す方向に流出させる流出管４４を備えている。グリース阻集器４の清掃を行う場合は、開閉用ラッチ３２または取手３６、３７を把持して鉄蓋３１、３４、３５を開放すればよい。特に、バスケット４１に溜まった厨芥を除去する作業は頻繁に行われるので、開閉用ラッチ３２を引き上げるまたは押し下げるだけで鉄蓋３１を開閉可能にするために、空洞部１０の内部には、蓋開閉装置５が設置されている。
【００１７】
蓋開閉装置５の全体の構造を図３及び図４により説明する。蓋開閉装置５は、空洞部１０に着脱自在に支持されるケース部材６と、そこに回転自在に支持されるアーム組立体７とを備えている。これらの部材の詳細は次の通りである。図３に示すように、アーム組立体７は、矢印Ｘ方向に沿った中心線（不図示）を基準として左右対称に構成されているので、以下の説明では一方の側（図３の右側）についてのみ記述する。
【００１８】
ケース部材６は、ツバ部６０１を有し、排水の流動方向（矢印Ｘ方向）に沿って伸びる一対の側板６０と、ツバ部６１１を有し、両端部の折り曲げられた部分が側板６０の前部（図３の下側）に固着されるフランジ部材６１と、側板６０の後部（図３の上側）の固着されたカバー部材６２を有する矩形状の枠部材である。ツバ部６０１は、空洞部１０の内部でかつ側溝１１の終端側に設けられたアングル１５（図４参照）に戴置される。側板６０には、ナット６４が固着されており、ハンドル６３１を有するボルト６３がこのナット６４にねじ込まれると、ボルト６３の先端が空洞部１０の内壁に押し付けられるので、ケース部材６の安定した固定が行われる。ツバ部６０１には所定間隔をおいて複数個（例えば２個）の孔６０２が設けられ、そこに固定金具（不図示）を取り付けてから、この固定金具にアンカ−ボルト（不図示）を挿入することにより、ケース部材６は空洞部１０に強固に固定される。ケース部材６は空洞部１０の側壁に直接固定されていてもよいが、上記のように、蓋開閉装置５が空洞部１０に着脱自在に装着されることにより、グリース阻集器周りのメンテテンスを速やかに行うことが可能となる。
【００１９】
アーム組立体７は、一端部が鉄蓋３１の裏面に回転自在に支持されかつ他端部が側板６０に回転自在に支持される駆動アーム７０と、これと平行に設けられ、一端部が鉄蓋３１の裏面に回転自在に支持されかつ他端部が側板６０に回転自在に支持される従動アーム７１を有する。また左右の駆動アーム７０は、ボルト７３によりそこに固定される複数本（例えば２本）のロッド７２により、同期して回転できるように構成されている。駆動アーム７０の一端部は、ボルト７５により鉄蓋３１の裏面に固定されている支持板７４にボルト７６により取着されている。従動アーム７１の一端部は、駆動アーム７０との干渉を防止するために、支持板７４の側面に設けられた円筒状のスペーサ７７の端部に挿入され、ボルト７８によりスペーサ７７とともに支持板７４に取着されている。
【００２０】
駆動アーム７０の他端部は、側板６０の内面に固着された支持部材７９に突設された第１の支持軸８０の端面にボルト８１により取着されている。従動アーム７１の他端部は、支持部材７９に突設された第２の支持軸８２の端面にボルト８３により取着されている。また、駆動アーム７０及び従動アーム７１は各々、第１の支持軸８０及び第２の支持軸８２との相対回転を許容し得る状態に支持されている。第１の支持軸８０の周囲には、ねじりコイルバネ８４が巻回され、鉄蓋３１が空洞部１０から離間する方向にねじりコイルバネ８４の付勢力（ねじりモーメント）が作用するように支持されている。例えば、ねじりコイルバネ８４の一端（駆動アーム７０寄りの端部）は駆動アーム７０の両面に装着された第１調整プレート８５及び第２調整プレート８６に係止され、またねじりコイルバネ８４の他端は支持部材７９に係止されている。
【００２１】
第１調整プレート８５及び第２調整プレート８６は各々、図５及び図６に示すような形状を有する。図５は図３の矢印Ａ１方向から見た第１調整プレートの平面図で、図６は図３の矢印Ａ２方向から見た第２調整プレートの平面図である。第１調整プレート８５は、第１支持軸８０（図３参照）が挿入される中心孔８５０を有する中空円板形状の部材であり、同一の円上に所定の円弧角をもつ調整用の長孔８５１、８５２を有する。調整用の長孔８５１の円弧角（θ１）は、駆動アーム７０及び従動アーム７１の回転角度（例えば９０°（＝１／４円周））に設定され、他方の長孔８５２の円弧角（θ２）は、例えば６０°に設定されている。第２調整プレート８６は、ボルト８１（図３参照）が挿入される中心孔８６０を有する略扇形状の部材であり、上記長孔８５１，８５２と同一の半径を有する円上に形成された、所定の円弧角（θ３＝θ１）をもつ調整用の長孔８６１と、扇形部の1辺（長孔８６１の左側端部に近い側の辺）に設けられた半円孔８６２とを有する。
【００２２】
本実施の形態においては、上記の第１調整プレート８５及び第２調整プレート８６を第１の支持軸８０の回りに各々、図７及び図８に示すようにスライドさせることにより、鉄蓋３１の開閉（図１参照）に要する力を軽減することができる。
【００２３】
まず、鉄蓋３１が最上部（図１におけるアーム組立体７の回転軌跡Ｓの頂部Ｐ）まで開いた状態では、図７（ａ）に示すように第１調整プレート８５がねじりコイルバネ８４の端部軸８４１が長孔８５２の一方（左側）の端部８５４に当接するようにかつ長孔８５１の一方（下側）の端部８５３に締結部材８７が装着されるように、第１調整プレート８５が駆動アーム７０に固定される。ねじりコイルバネ８４の端部軸８４１がこの位置にあると（図３参照）、ねじりコイルバネ８４はねじりモーメントを受けないので、鉄蓋３１には付勢力が作用しない。次に鉄蓋３１が完全に開いた状態（図１におけるアーム組立体１の回転軌跡Ｓの右端）になるまで角度θ４だけ回転すると、図７（ｂ）に示すように、駆動アーム７０と共に第１調整プレート８５は時計方向に角度θ４だけ回転するので、ねじりコイルバネ８４は角度θ４だけ捩られてその分のねじりモーメントを受ける。このねじりモーメントが開放されたときに生じるねじりコイルバネ８４の復元力は、長孔８５２の端部８５４を介して駆動アーム７０に伝達されて、鉄蓋３１はそれを閉じる方向へ付勢される。鉄蓋３１を完全に開いた状態で最大の付勢力を得るためには、図７（ｂ）に示す状態でねじりコイルバネ８４が最も大きなねじりモーメントを受けるように取り付けられる。
【００２４】
また、第１調整プレート８５の固定位置を第１の支持軸８０（図３参照）を中心として長孔８５１が形成されている角度範囲内で調整することによって、長孔８５２の一方の端部８５４とねじりコイルバネ８４の端部軸８４１に当接するタイミングを変更することができ、鉄蓋３１が完全に開いたときにねじりコイルバネ８４が受けるねじりモーメントの大きさを調整することができる。例えば、図７（ｃ）に示すように、ねじりコイルバネ８４が受けるねじりモーメントがゼロのときに、ねじりコイルバネ８４の端部軸８４１が長孔８５２の他方（右側）の端部８５５に当接するように、第１調整プレート８５を駆動アーム７０に固定してもよい。この場合、図７（ｄ）に示すように駆動アーム７０（図３参照）と共に第１調整プレート８５が時計方向に角度θ４だけ回転した場合、鉄蓋３１が完全に開いた状態でも長孔８５２の他方の端部８５４はねじりコイルバネ８４の端部軸８４１に当接しないので、駆動アーム７０には鉄蓋３１を閉じる方向へのねじりコイルバネ８４のねじりモーメントが作用しない。このように本実施の形態においては、第１調整プレート８５に２つの長孔８５１、８５２が形成されているので、ねじりコイルバネ８４が受けるねじりモーメントがゼロになるときの第１調整プレート８５の位置を図７（ａ）から図７（ｃ）の間で任意に設定することができ、もって鉄蓋３１を閉じる方向への付勢力を広い範囲で調整することができる。
【００２５】
これに対して、鉄蓋３１が完全に閉じた状態においては、ねじりコイルバネの端部軸８４１が図８（ａ）、図８（ｃ）および図８（ｄ）の位置にあると、図７の場合と同様にねじりコイルバネ８４が受けるねじりモーメントがゼロとなる。詳述すると、鉄蓋３１を完全に閉じた状態で最大の付勢力を得るためには、その状態でねじりコイルバネ８４が最も大きなねじりモーメントを受ける必要がある。そのため、鉄蓋３１が完全には閉じていない場合には、図８（ａ）に示すように、第２調整プレート８６は、ねじりコイルバネ８４がねじりモーメントを受けない状態でねじりコイルバネ８４の端部軸８４１が半円孔８６２に当接するように、長孔８６１の一方（下側）の端部８６３に装着された締結部材８７により駆動アーム７０に固定される。次に図３（ａ）に示す位置にある鉄蓋３１を角度θ３だけ反時計方向に押し付けると、図８（ｂ）に示すように、駆動アーム７０と共に第２調整プレート８６は反時計方向に回転する。したがって、半円孔８６２がねじりコイルバネ８４の端部軸８４１を半時計方向に押付けることによって、ねじりコイルバネ８４は半時計方向に角度θ３だけ捩られて、その分のねじりモーメントを受ける。このときに生じるねじりコイルバネ８４の復元力は、半円孔８６２を介して駆動アーム７０に伝達されて、鉄蓋３１はそれを開く方向へ付勢される。
【００２６】
また、第２調整プレート８６は第１の支持軸８０を中心として長孔８６１の範囲内で時計回りに回転させることによって、半円孔８６２とねじりコイルバネ８４の端部軸８４１が当接するタイミングを変更することができ、鉄蓋３１が完全に閉じた状態におけるねじりコイルバネ８４の付勢力を調整することができる。例えば、図８（ｃ）に示すように、ねじりコイルバネ８４の付勢力がゼロの状態においてねじりコイルバネ８４の端部軸８４１と半円孔８６２とが同一円周上で角度θ３だけ離間するように第２調整プレート８６を駆動アーム７０に固定した場合、鉄蓋３１を完全に閉じた時に初めて、図８（ｄ）に示すように半円孔８６２はねじりコイルバネの端部軸８４１に当接する。したがって、鉄蓋３１を閉じる途中では、ねじりコイルバネ８４によって鉄蓋３１はそれを開く方向へ付勢されることはない。このように本実施の形態においては、ねじりコイルバネ８４の付勢力がゼロの時の第２調整プレート８６の位置を図８（ａ）と図８（ｃ）の間の範囲内で任意に設定することができ、もって鉄蓋３１を閉じる方向への付勢力を調整することもできる。
【００２７】
上記したように本実施の形態では、第１調整プレート８５および第２調整プレート８６の固定位置を調整することによって鉄蓋３１の開時及び閉時のいずれの場合においても鉄蓋に作用する付勢力を調整することができ、１種類のねじりコイルバネを準備しておくだけで、質量の異なる鉄蓋３１の開閉操作を容易に行うことができる。すなわち、鉄蓋３１の重量が大きく最も大きな付勢力を必要とする場合には、第１調整プレート８５は図７（ａ）に示す位置に、第２調整プレート８６は図８（ａ）に示す位置に固定される。また、鉄蓋３１の質量が小さく付勢力が小さくてもよい場合には、第１調整プレート８５は図７（ｃ）の位置に、第２調整プレート８６は図８（ｃ）に示す位置に固定される。また、鉄蓋３１の質量が中間の大きさの場合には、第１調整プレート８５は、図７（ａ）と（ｃ）の中間の任意の位置に、第２調整プレート８６は図８（ａ）と（ｃ）の中間の任意の位置に固定される。このようにねじりコイルバネ８４が受けるねじりモーメントは鉄蓋３１の自重に応じて調整されるが、例えば鉄蓋３１が完全に閉じた状態のとき鉄蓋３１の自重の０．７倍程度のねじりモーメントが作用するように設定しておけば、誤作動により鉄蓋３１が、非所望に開放されるのが防止される。
【００２８】
上記のアーム組立体７によれば、鉄蓋３１を閉じる時にはねじりコイルバネ８４のねじりモーメントに抗して鉄蓋３１を空洞部側に押し付けることになるが、鉄蓋３１の自重が加算されるため、過大な押し付け力を必要とせずに、鉄蓋３１を閉状態の位置に戻すことができる。また鉄蓋３１を開く時にはこのねじりモーメントが開放されるため、すなわちねじりコイルバネ８４の復元力が作用するため、鉄蓋３１の自重よりも軽い荷重で鉄蓋３１を開くことが可能となる。また、駆動アーム７０は、くの字形形状を有し、従動アーム７１は途中で折れ曲がったクランク形状を有するように形成されているので、鉄蓋３１が鉄蓋３３と平行になる位置まで回転できる。
【００２９】
上記の蓋開閉装置５を備えた鉄蓋の開閉動作を行うことにより、次の手順で厨房の床下部の清掃を行うことができる。図１を参照すると、まず、開閉用ラッチ３２を握り、時計方向に引き上げると、鉄蓋３１は床面に対し略平行な状態で回動し、グリ−ス阻集器４が露出する。次いで、グリ−ス阻集器４からバスケット４１を取り出し、その清掃を行うことができる。このように、本発明の蓋開閉装置によれば、重量物である鉄蓋の開閉を簡便に行えるため、作業者の負荷が極力軽減され、厨芥等が溜まったバスケット４１の取り出しを頻繁に行える。次いで、バスケット４１を清浄化した後は、バスケット４１をグリ−ス阻集器４内の所定位置に戻し、開閉用ラッチ３２を握り、鉄蓋３１を押し下げると、鉄蓋３１は元の位置まで移動して、空洞部１０が密閉される。
【００３０】
この蓋開閉装置５によれば、鉄蓋３１を開放するときに、脚部材３３により鉄蓋３１は常に床面に対し平行になる位置に支持されるので、誤作動による挟まれ事故が防止され、また鉄蓋３１に誤って人が乗っても駆動ア−ム７０及び従動ア−ム７１が折損するような不具合は防止される。
【００３１】
上記の実施の形態において、従動ア−ムを省略し、鉄蓋に駆動ア−ムのみで支持しても、鉄蓋を開閉できるが、安定した開閉動作を行うためには、鉄蓋を２種類のア−ムで支持することが好ましい。
【００３２】
上記の実施の形態では、本発明をグリ−ス阻集器の上方に設置された蓋体の開閉に適用する例について述べたが、本発明はこれに限らず、厨房の床下に設置された排水桝、側溝、あるいは屋内の収納空間に設置された蓋体の開閉に適用することが可能である。
【図面の簡単な説明】
【００３３】
【図１】本発明の実施の形態に係わる蓋開閉装置を備えた厨房の床下部を示す断面図である。
【図２】図１の平面図である。
【図３】図１の蓋開閉装置から鉄蓋を取り外した状態を示す平面図である。
【図４】図３をＡ方向から見た矢視図である。
【図５】第１調整プレートの平面図である。
【図６】第２調整プレートの平面図である。
【図７】図３をＡ２方向からみたときのねじりコイルバネの端部と第１調整プレートとの位置関係を示す図である。
【図８】図３をＡ１方向からみたときのねじりコイルバネの端部と第２調整プレートとの位置関係を示す図である。
【符号の説明】
【００３４】
１：床下部、４：グリース阻集器、４１：バスケット、４２：仕切板、４３：トラップ管、４４：流出管、１０：空洞部、１１：スラブコンクリート、１２：グレーチング、１１：側溝、１４：増し打ちコンクリート、３１、３４、３５：鉄蓋、３２：開閉用ラッチ、３３３：脚部材、３５、３６：取手、１５：アングル、
５：蓋開閉装置、６：ケース部材、６０：側板、６０１：ツバ部、６０２：孔、６１：フランジ部材、６１１：ツバ部、６２：カバー部材、６３：ボルト、６３１：ハンドル、６４：固定金具、
７：アーム組立体、７０：駆動アーム、７１：従動アーム、７２：ロッド、７３、７５、７６、７８：ボルト、７４：支持板、７７：スペーサ、７９：支持部材、８０：第１の支持軸、８１、８３：ボルト、８２：第２の支持軸、８４：ねじりコイルバネ、８５：第１調整プレート、８５０：中心孔、８５１、８５２：長孔、８５３、８５４，８５５：端部、８６：第２調整プレート、８６０：中心孔、８６１：長孔、８６２：半円孔、８６３：端部、８７：締結部材
【図１】
2006283482.tif 000003
【図２】
2006283482.tif 000004
【図３】
2006283482.tif 000005
【図４】
2006283482.tif 000006
【図５】
2006283482.tif 000007
【図６】
2006283482.tif 000008
【図７】
2006283482.tif 000009
【図８】
2006283482.tif 000010